(57)【要約】【課題】本発明は、筆記するためにボールペン本体外に芯材先端部の押し出しや、筆記終了後のボールペン本体内に芯先端部をしまう操作を、持ち替えることなく筆記する指先の位置で芯材の操作が可能な筆記具を提供する。【解決手段】ボールペンの芯の押し出しや、芯をしまう操作を、筆記中の指のまま操作可能にするために、ボールペンの前方指先付近に、芯操作部を設置したものである。ボールペンを筆記するために掴む指の位置に芯材の操作突起１５を設け、筆記するには操作突起１５の直角部を下側に押して芯材を押し出し筆記し、筆記が終えると操作突起１５を外筒２の方向に押し下げ芯材をボールペン本体内にしまう。【選択図】  図1
2014205297.tif 000002
【特許請求の範囲】
【請求項１】
キャップを有する外筒と、この外筒内に挿入された操作筒と、この操作筒内に通された芯材とを有し、この操作筒に設けられた操作突起を操作することにより、芯材の先端部をキャップ外に押し出したり、またキャップ内にしまうことができるように構成されたボールペンであって、
前記操作筒の操作突起は、外筒の前方指先位置に設けられた操作窓に配置されていることを特徴とする筆記具。
【請求項２】
前記ボールペンの芯材に凸部を構成し、この凸部を前記操作筒の先端に当接させるとともにこの凸部とキャップの先端との間に、この凸部を後方に押すスプリングを設け、前記操作筒の前記操作突起が外筒の操作窓から突出し、前記操作突起の操作によりボールペンの芯材を操作できるように構成したことを特徴とする請求項１記載の筆記具。
【請求項３】
キャップを有する外筒と、この外筒内に挿入された操作筒と、この操作筒内に通された芯材とを有し、この操作筒に設けられた操作突起を操作することにより、芯材の先端部をキャップ外に押し出したり、またキャップ内にしまうことができるように構成されたボールペンであって、
前記操作筒の操作突起は、外筒の前方指先位置に設けられた操作窓に配置されていて、
芯材の先端側にはストッパーフランジが設けられ、ストッパーフランジとキャップの間には圧縮スプリングがはめられ、
芯材はストッパーフランジが操作筒の先端に当接するように圧縮スプリングで後方に押され、
操作筒の外周には、周方向一ヶ所に長い変形用窓が形成され、
変形用窓の先端根元部に一体的に接続された操作片が変形用窓内で上下方向に変形できるように形成され、
操作片の先端側には操作突起が形成され、後端側にストッパー突起が形成され、
外筒には先端側に、操作窓が形成され、この操作窓の後方に、第１のストッパー窓及び、第２のストッパー窓が間隔を有して形成され、
操作筒は、ストッパー突起が、第２のストッパー窓内に位置し、操作突起が操作窓内に位置するように外筒内に挿入され、
ストッパー突起は傾斜部が前側に位置し、直角部が後側に位置する台形状に形成され、操作突起は傾斜部が前側に位置し、直角部が後側に位置する台形状に形成されていて、
操作突起を下側に押し下げると操作片が下側に変形し、ストッパー突起が下側に変位するように構成されたことを特徴とした筆記具。
【発明の詳細な説明】
【技術分野】
【０００１】
本発明は、文字や絵を書くために使用される筆記具に関する。
【背景技術】
【０００２】
従来、筆記具であるボールペンは筆記するために使用され、例えば特許文献１記載されたものが広く知られている。特許文献１記載のものは、文字や絵を書くために、ボールペンの後端部をノックしてボールペンの本体外に芯材の先端部を押し出して文字や絵を筆記し、使用しない場合は、またボールペン後端部をノックしてボールペン本体内に芯材の先端部をしまい、けがの防止やインクが他のものにつかないようにしている。
【先行技術文献】
【特許文献】
【０００３】
【特許文献１】特開  ２００５−１９３４４１号公報
【発明の概要】
【発明が解決しようとする課題】
【０００４】
従来、ボールペンを使用して文字や絵を筆記する場合、ボールペン本体内にしまわれた芯材の先端部を、ボールペンの後端部をノックしてボールペン本体外に芯材の先端部を押し出しボールペンを持ち替えて記載し、文字や絵の筆記が終わると、ボールペン本体内に芯材の先端部をしまうため、もう一度ボールペンを持ち替えて、ボールペンの後端部をノックする必要があった。筆記頻度が頻繁であれば、ボールペンを持ち替え芯材を出したりしまったりが使用者の負担になる。そこで、本発明は、ボールペン芯材の先端部の押し出しやしまう操作を持ち替えることなく使用できる筆記具の提供を目的とする。
【課題を解決するための手段】
【０００５】
請求項１の発明、キャップを有する外筒と、この外筒内に挿入された操作筒と、この操作筒内に通された芯材とを有し、この操作筒に設けられた操作突起を操作することにより、芯材の先端部をキャップ外に押し出したり、またキャップ内にしまうことができるように構成されたボールペンであって、前記操作筒の操作突起は、外筒の前方指先位置に設けられた操作窓に配置されたものである。
【０００６】
請求項２の発明、前記ボールペンの芯材に凸部を構成し、この凸部を前記操作筒の先端に当接させるとともにこの凸部とキャップの先端との間に、この凸部を後方に押すスプリングを設け、前記操作筒の前記操作突起が外筒の操作窓から突出し、前記操作突起の操作によりボールペンの芯材を操作できるように構成されたものである
【０００７】
請求項３の発明、キャップを有する外筒と、この外筒内に挿入された操作筒と、この操作筒内に通された芯材とを有し、この操作筒に設けられた操作突起を操作することにより、芯材の先端部をキャップ外に押し出したり、またキャップ内にしまうことができるように構成されたボールペンであって、前記操作筒の操作突起は、外筒の前方指先位置に設けられた操作窓に配置されていて、芯材の先端側にはストッパーフランジが設けられ、ストッパーフランジとキャップの間には圧縮スプリングがはめられ、芯材はストッパーフランジが操作筒の先端に当接するように圧縮スプリングで後方に押され、操作筒の外周には、周方向一ヶ所に長い変形用窓が形成され、変形用窓の先端根元部に一体的に接続された操作片が変形用窓内で上下方向に変形できるように形成され、操作片の先端側には操作突起が形成され、後端側にストッパー突起が形成され、外筒には先端側に、操作窓が形成され、この操作窓の後方に、第１のストッパー窓及び、第２のストッパー窓が間隔を有して形成され、操作筒は、ストッパー突起が、第２のストッパー窓内に位置し、操作突起が操作窓内に位置するように外筒内に挿入され、ストッパー突起は傾斜部が前側に位置し、直角部が後側に位置する台形状に形成され、操作突起は傾斜部が前側に位置し、直角部が後側に位置する台形状に形成されていて、操作突起を下側に押し下げると操作片が下側に変形し、ストッパー突起が下側に変位するように構成されたものである。
【発明の効果】
【０００８】
ボールペン本体内から芯材の先端部の押し出しや、しまう操作を筆記するために掴む指の位置に、芯材の操作部（操作突起）を設けることにより、筆記するままの指で芯材の押し出しや、しまう操作が可能になる。したがってボールペンを何度も持ち替える必要がなく芯材の操作が可能なボールペンを目的とする
【図面の簡単な説明】
【０００９】
【図１】本発明のボールペンの斜視図である。
【図２】本発明のボールペンの解体図である。
【図３】本発明のボールペンの縦切断部である。
【発明を実施するための形態】
【００１０】
以下、発明の実施をするための形態について説明する。
【００１１】
本発明に係るボールペンの構造について説明する。図１のボールペン１は、図２及び図３示すように外筒２と、この外筒２内に挿入された操作筒３と、この操作筒３内に通された芯材５と、外筒２の先端部に固定されるキャップ７とを有していて、芯材５の先端側にはストッパーフランジ９が設けられ、芯材５の先端側にはストッパーフランジ９とキャップ７の間に位置するように、圧縮スプリング１１がはめられている。したがって、芯材５はストッパーフランジ９が操作筒３の先端に当接するように圧縮スプリング１１で後方に押されている。操作筒３の外周には、周方向一ヶ所に長い変形用窓１３が形成されていて、この変形用窓１３の先端根元部に一体的に接続された操作片１７が変形用窓１３内で上下方向に変形できるように形成されている。操作片１７の先端側は操作突起１５が形成され、後端側にストッパー突起１９が形成されている。外筒２には先端側に、操作窓２３が形成され、この操作窓２３の後方に、第１のストッパー窓２５及び、第２のストッパー窓２７が間隔を有して形成されている。
【００１２】
操作筒３は、ストッパー突起１９が、第２のストッパー窓２７内に位置し操作突起１５が、操作窓２３内に位置するように外筒２内に挿入されている。ストッパー突起１９は傾斜部が前側に位置し、直角部が後側に位置する台形状に形成され、操作突起１５は傾斜部が前側に位置し、直角部が後側に位置する台形状に形成されていて、操作突起１５を下側に押し下げると操作片１７が下側に変形し、ストッパー突起１９が下側に変位するようになっている。操作突起１５の直角部を前側に押し出すと、ストッパー突起１９が第2のストッパー窓２７と、第１のストッパー窓２５との間をくぐり抜け、第１のストッパー窓２５に入り込み、第1のストッパー窓２５の後端と係合し、操作筒３が圧縮スプリング１１を圧縮して前進し保持される。この状態では芯材５の芯材先端部２１はキャップ７から突起し、筆記のできるようになっている。またここで、操作突起１５を下側に押し下げると、操作片１７が下側に変形しストッパー突起１９が下側に変位する。そうすると、圧縮スプリング１１のバネの力に押されて、ストッパー突起１９が、第1のストッパー窓２５と第２のストッパー窓２７との間をくぐり抜け、第２のストッパー窓２７に入り込み、第２のストッパー窓２７の後端と係合するように、操作筒３が後退し保持される。この状態では芯材５の芯材先端部２１は、キャップ７内に収まっている。従来のボールペンでは、筆記するための芯の押し出しや芯をしまうため手を持ち替える必要があったが、ここで説明したボールペンは、操作突起１５が前方の指先付近に位置するため、筆記する指の位置で芯の押し出しや芯をしまう動作が可能である。
【産業上の利用可能性】
【００１３】
本発明のボールペンは、筆記具としての操作性に優れたものである。
【符号の説明】
【００１４】
１  ボールペン
２  外筒
３  操作筒
５  芯材
７  キャップ
９  ストッパーフランジ
１１  圧縮スプリング
１３  変形用窓
１５  操作突起
１７  操作片
１９  ストッパー突起
２１  芯材先端部
２３  操作窓
２５  第１のストッパー窓
２７  第２のストッパー窓
【図１】
2014205297.tif 000003
【図２】
2014205297.tif 000004
【図３】
2014205297.tif 000005